(57)【要約】【課題】  外筒の側面に芯を繰り出すことができる操作スイッチを設けた場合であっても、筆記するときに芯を繰り出すための操作スイッチが邪魔にならないシャープペンシルを提供する。【解決手段】  先端に芯繰り出し機構が設けられる芯軸を、外筒に対して軸線方向に移動させることによって、前記外筒の先端から芯を繰り出すシャープペンシルにおいて、外筒２０１の側面から突出する突出状態と、外筒２０１に格納された格納状態とに変化できるスイッチ本体２０２を芯軸５に連結し、格納状態では、芯繰り出し機構が芯を把持できるように、芯軸が外筒２０１に対して後方に移動している一方、突出状態では、芯軸５が外筒２０１に対して軸方向に移動するようにスイッチ本体２０２を操作することによって、芯繰り出し機構から芯が繰り出される。【選択図】  図２
2006044218.tif 000002
【特許請求の範囲】
【請求項１】
先端に芯繰り出し機構が設けられる芯軸を、外筒に対して軸線方向に移動させることによって、前記外筒の先端から芯を繰り出すシャープペンシルにおいて、
前記外筒の側面から突出する突出状態と、前記外筒に格納された格納状態とに変化できるスイッチ本体を前記芯軸に連結し、
前記格納状態では、前記芯繰り出し機構が芯を把持できるように、前記芯軸が前記外筒に対して後方に移動している一方、
前記突出状態では、前記芯軸が前記外筒に対して軸方向に移動するように前記スイッチ本体を操作することによって、前記芯繰り出し機構から芯を繰り出すことを特徴とするシャープペンシル。
【請求項２】
前記突出状態の前記スイッチ本体を押圧し、前記スイッチ本体、又は前記スイッチ本体を突出状態と格納状態とに変化させる操作スイッチ機構の一部を、前記外筒又は前記外筒に設けたストッパに引っ掛けると、前記スイッチ本体が前記格納状態になる一方、
前記スイッチ本体又は前記操作スイッチ機構と、前記外筒又は前記外筒に設けたストッパとの引っ掛かりを外すと、前記スイッチ本体が前記突出状態になることを特徴とする請求項１に記載のシャープペンシル。
【請求項３】
前記突出状態の前記スイッチ本体を前方に移動させることによって、又は、前記芯軸が前方に移動するように、前記突出状態の前記スイッチ本体を押圧することによって、前記芯繰り出し機構から芯を繰り出すことを特徴とする請求項１又は２に記載のシャープペンシル。
【請求項４】
先端に芯繰り出し機構が設けられる芯軸を、外筒に対して軸線方向に移動させることによって、前記外筒の先端から芯を繰り出すシャープペンシルにおいて、
前記外筒の側面から突出する突出状態と、前記外筒に格納された格納状態とに変化できるスイッチ本体と、
前記芯軸に設けられ、前記スイッチ本体の前方部を支持するスイッチ前方支持部と、
前記芯軸に対してスライド可能に設けられ、前記スイッチ本体の後方部を支持するスイッチ後方支持部と、を備え、
前記スイッチ前方支持部と前記スイッチ後方支持部とが離間した前記格納状態では、前記芯繰り出し機構が芯を把持できるように、前記芯軸が前記外筒に対して後方に移動している一方、
前記スイッチ前方支持部と前記スイッチ後方支持部とが近接した前記突出状態では、前記芯軸が前記外筒に対して軸方向に移動するように前記スイッチ本体を操作することによって、前記芯繰り出し機構から芯が繰り出されることを特徴とするシャープペンシル。
【請求項５】
前記突出状態の前記スイッチ本体を押圧し、前記スイッチ本体又は前記スイッチ後方支持部を、前記外筒又は前記外筒に設けたストッパに引っ掛けると、前記スイッチ本体が前記格納状態になる一方、
前記スイッチ本体又は前記スイッチ後方支持部と、前記外筒又は前記外筒に設けたストッパとの引っ掛かりを外すと、前記スイッチ本体が前記突出状態になることを特徴とする請求項４に記載のシャープペンシル。
【請求項６】
弾性変形して、前記スイッチ本体が前記格納状態になるのを許容する一方、
前記スイッチ本体又は前記スイッチ後方支持部と、前記外筒又は前記外筒に設けたストッパとの引っ掛かりが外れたとき、復元して、前記スイッチ本体を前記突出状態にする弾性部材を設けたことを特徴とする請求項４又は５に記載のシャープペンシル。
【請求項７】
前記突出状態で前記スイッチ本体の形状が略三角形になり、前記格納状態で前記スイッチ本体の形状が略平らになることを特徴とする請求項４ないし６いずれかに記載のシャープペンシル。
【請求項８】
前記シャープペンシルはさらに、
前記後方支持部よりも後方の前記外筒内に設けられ、前記芯軸がスライドするのを案内する案内部と、
前記案内部と前記後方支持部との間に設けられた弾性部材と、
前記スイッチ本体が前記突出状態になるまで前方に移動したときに、前記後方支持部の第１の当接部に引っ掛かり、前記弾性部材による前記後方支持部のさらなる前方への移動を制限するストッパと、
を備えることを特徴とする請求項４ないし７いずれかに記載のシャープペンシル。
【請求項９】
前記ストッパは板ばね状に形成され、
前記後方支持部の前記第１の当接部の前方には、前記第１の当接部に段差を付けて第２の当接部が形成され、
前記格納状態では、前記ストッパが前記後方支持部の前記第２の当接部に引っ掛かる一方、
前記外筒の側面に露出する格納状態解除スイッチを押圧し、板ばね状の前記ストッパを撓ませることによって、前記ストッパと前記第２の当接部との引っ掛かりが外れて、前記ストッパと前記第１の当接部とが引っ掛かることを特徴とする請求項８に記載のシャープペンシル。
【発明の詳細な説明】
【技術分野】
【０００１】
本発明は、芯を繰り出せるシャープペンシルに関する。
【背景技術】
【０００２】
近年、筆記具としてシャープペンシルが多用されている。シャープペンシルは、芯をクランプできる繰り出し機構が先端に取り付けられる芯軸を、外筒に対して芯軸の軸線方向に移動させることによって、外筒の先端に取り付けられる先具から芯を繰り出す。
【０００３】
外筒に対して芯軸を移動させる一般的な方法としては、芯軸の後端から突出するノックを親指で押圧することによって芯タンクをスライドさせるノック式や、該ノック式に併用して、シャープペンシルを振ることによって芯軸に重量体を作用させ、重量体により芯軸を移動させるスイング式が知られている。
【０００４】
しかし、ノック式のシャープペンシルにあっては、芯を繰り出す度にシャープペンシルを筆記の状態からノックの状態に持ち替える必要があるので、不便さがある。この不便さを解消するために、外筒の側面に出没自在に押圧部材を設け、該押圧部材を押圧することで、カム機構により芯軸を移動させて芯を繰り出せるようにしたカム式のシャープペンシルが知られている（特許文献１、請求項１）。
【特許文献１】特許第３３２９７８２号公報
【発明の開示】
【発明が解決しようとする課題】
【０００５】
しかしながら、従来のカム式のシャープペンシルにあっては、筆記するときに、押圧部材が突出したままなので、押圧部材が邪魔になるという問題があった。仮に、押圧部材が邪魔にならないように、押圧部材を押圧して格納した状態に保つと、芯繰り出し機構が芯を開放してしまうので、筆記することができなくなる。
【０００６】
そこで、本発明は、外筒の側面に芯を繰り出すためのスイッチを設けた場合であっても、筆記するときにスイッチが邪魔にならないシャープペンシルを提供することを目的とする。
【課題を解決するための手段】
【０００７】
以下本発明について説明する。上記課題を解決するために、請求項１に記載の発明は、先端に芯繰り出し機構が設けられる芯軸を、外筒に対して軸線方向に移動させることによって、前記外筒の先端から芯を繰り出すシャープペンシルにおいて、前記外筒の側面から突出する突出状態と、前記外筒に格納された格納状態とに変化できるスイッチ本体を前記芯軸に連結し、前記格納状態では、前記芯繰り出し機構が芯を把持できるように、前記芯軸が前記外筒に対して後方に移動している一方、前記突出状態では、前記芯軸が前記外筒に対して軸方向に移動するように前記スイッチ本体を操作することによって、前記芯繰り出し機構から芯を繰り出すことを特徴とする。
【０００８】
請求項２に記載の発明は、請求項１に記載のシャープペンシルにおいて、前記突出状態の前記スイッチ本体を押圧し、前記スイッチ本体又は前記スイッチ本体を突出状態と格納状態とに変化させる操作スイッチ機構の一部を、前記外筒又は前記外筒に設けたストッパに引っ掛けると、前記スイッチ本体が前記格納状態になる一方、前記スイッチ本体又は前記操作スイッチ機構と、前記外筒又は前記外筒に設けたストッパとの引っ掛かりを外すと、前記スイッチ本体が前記突出状態になることを特徴とする。
【０００９】
請求項３に記載の発明は、請求項１又は２に記載のシャープペンシルにおいて、前記突出状態の前記スイッチ本体を前方に移動させることによって、又は、前記芯軸が前方に移動するように、前記突出状態の前記スイッチ本体を押圧することによって、前記芯繰り出し機構から芯を繰り出すことを特徴とする。
【００１０】
請求項４に記載の発明は、先端に芯繰り出し機構が設けられる芯軸を、外筒に対して軸線方向に移動させることによって、前記外筒の先端から芯を繰り出すシャープペンシルにおいて、前記外筒の側面から突出する突出状態と、前記外筒に格納された格納状態とに変化できるスイッチ本体と、前記芯軸に設けられ、前記スイッチ本体の前方部を支持するスイッチ前方支持部と、前記芯軸に対してスライド可能に設けられ、前記スイッチ本体の後方部を支持するスイッチ後方支持部と、を備え、前記スイッチ前方支持部と前記スイッチ後方支持部とが離間した前記格納状態では、前記芯繰り出し機構が芯を把持できるように、前記芯軸が前記外筒に対して後方に移動している一方、前記スイッチ前方支持部と前記スイッチ後方支持部とが近接した前記突出状態では、前記芯軸が前記外筒に対して軸方向に移動するように前記スイッチ本体を操作することによって、前記芯繰り出し機構から芯が繰り出されることを特徴とする。
【００１１】
請求項５に記載の発明は、請求項４に記載のシャープペンシルにおいて、前記突出状態の前記スイッチ本体を押圧し、前記スイッチ本体又は前記スイッチ後方支持部を、前記外筒又は前記外筒に設けたストッパに引っ掛けると、前記スイッチ本体が前記格納状態になる一方、前記スイッチ本体又は前記スイッチ後方支持部と、前記外筒又は前記外筒に設けたストッパとの引っ掛かりを外すと、前記スイッチ本体が前記突出状態になることを特徴とする。
【００１２】
請求項６に記載の発明は、請求項４又は５に記載のシャープペンシルにおいて、弾性変形して、前記スイッチ本体が前記格納状態になるのを許容する一方、前記スイッチ本体又は前記スイッチ後方支持部と、前記外筒又は前記外筒に設けたストッパとの引っ掛かりが外れたとき、復元して、前記スイッチ本体を前記突出状態にする弾性部材を設けたことを特徴とする。
【００１３】
請求項７に記載の発明は、請求項４ないし６いずれかに記載のシャープペンシルにおいて、前記突出状態で前記スイッチ本体の形状が略三角形になり、前記格納状態で前記スイッチ本体の形状が略平らになることを特徴とする。
【００１４】
請求項８に記載の発明は、請求項４ないし７いずれかに記載のシャープペンシルにおいて、前記シャープペンシルはさらに、前記後方支持部よりも後方の前記外筒内に設けられ、前記芯軸がスライドするのを案内する案内部と、前記案内部と前記後方支持部との間に設けられた弾性部材と、前記スイッチ本体が前記突出状態になるまで前方に移動したときに、前記後方支持部の第１の当接部に引っ掛かり、前記弾性部材による前記後方支持部のさらなる前方への移動を制限するストッパと、を備えることを特徴とする。
【００１５】
請求項９に記載の発明は、請求項８に記載のシャープペンシルにおいて、前記ストッパは板ばね状に形成され、前記後方支持部の前記第１の当接部の前方には、前記第１の当接部に段差を付けて第２の当接部が形成され、前記格納状態では、前記ストッパが前記後方支持部の前記第２の当接部に引っ掛かる一方、前記外筒の側面に露出する格納状態解除スイッチを押圧し、板ばね状の前記ストッパを撓ませることによって、前記ストッパと前記第２の当接部との引っ掛かりが外れて、前記ストッパと前記第１の当接部とが引っ掛かることを特徴とする。
【発明の効果】
【００１６】
請求項１に記載の発明によれば、スイッチ本体を格納した状態で、芯繰り出し機構が芯を把持できるので、筆記するときにスイッチ本体が邪魔になることがない。スイッチ本体を手元に配置することができるので、副次的に芯を素早く繰り出すことができるという効果も奏する。
【００１７】
請求項２に記載の発明によれば、スイッチ本体又は操作スイッチ機構の一部を外筒又は外筒に設けたストッパに引っ掛けたり、引っ掛かりを外したりするだけの簡単な操作で、スイッチ本体を格納・突出できる。
【００１８】
請求項３に記載の発明によれば、突出状態のスイッチ本体の操作により、芯を繰り出すことができる。
【００１９】
請求項４に記載の発明によれば、スイッチ本体を格納した状態で、芯繰り出し機構が芯を把持できるので、筆記するときにスイッチ本体が邪魔になることがない。スイッチ本体を手元に配置することができるので、副次的に芯を素早く繰り出すことができるという効果も奏する。
【００２０】
請求項５に記載の発明によれば、スイッチ本体又はスイッチ後方支持部を、外筒又は外筒に設けたストッパに引っ掛けたり、引っ掛かりを外したりするだけの簡単な操作で、スイッチ本体を格納・突出できる。
【００２１】
請求項６に記載の発明によれば、弾性体の動力により、スイッチ本体を格納状態から突出状態に変化させることができる。
【００２２】
請求項７に記載の発明によれば、突出状態でスイッチ本体の形状が略三角形になり、格納状態で略平らになるので、スイッチ本体自体の形状が大きく変化する。
【００２３】
請求項８に記載の発明によれば、弾性部材により、スイッチ本体を格納状態から突出状態に変化させることができる。ストッパを設けることにより、弾性部材を強くすることができるので、スイッチ本体を上方から押圧してもスイッチ後方支持部が後方に移動することなく、芯を繰り出すことができる。
【００２４】
請求項９に記載の発明によれば、格納状態解除スイッチを押圧することで、第２の当接部から第１の当接部まで後方支持部が移動するので、スイッチ本体が自動的に格納状態から突出状態に変化する。
【発明を実施するための最良の形態】
【００２５】
以下添付図面に基づいて、本発明の実施形態を説明する。図１はシャープペンシルの外形斜視図を示す。図１（Ａ）は突出状態のスイッチ本体２０２を押圧して芯を繰り出している状態を示し、図１（Ｂ）はスイッチ本体２０２が外筒２０１から突出した状態を示し、図１（Ｃ）はスイッチ本体２０２を外筒２０１に格納した状態を示す。シャープペンシルの外筒２０１の下端部側面には開口２０３が空けられ、該開口２０３からスイッチ本体２０２が露出する。スイッチ本体２０２の上部には、格納状態解除スイッチ２１６が設けられる。格納状態解除スイッチ２１６を人手で押圧すると、スイッチ本体２０２が前方に移動すると共に図１（Ｃ）に示される格納状態から図１（Ｂ）に示される突出状態に形状を変化させる。そして、突出状態のスイッチ本体２０２を図１（Ａ）に示されるように押圧することによって、外筒２０１の先端に設けた先具２０５から芯が繰り出される。外筒２０１のスイッチ本体２０２が設けられる部分は、流線形に窪んでいる。
【００２６】
シャープペンシルの後端部には、キャップ２０６が設けられる。このキャップ２０６には消しゴム２０７が取り付けられる。芯を補給する際には、キャップ２０６を取り外し、外筒２０１内部の芯軸に芯を補給する。またキャップ２０６には、円筒状の消しゴム５０を収容する消しゴム収容部２０６ａが設けられる。この消しゴム収容部２０６ａは、キャップ２０６の軸線に対して斜めにカットされている。斜めのカットにより、円筒状の消しゴム２０７の先端側だけではなく、根元まで使えるようになる。
【００２７】
図２及び図３は、シャープペンシルの断面図を示す。図２は、スイッチ本体２０２を格納した状態を示し、図３はスイッチ本体２０２を突出させた後、芯を繰り出している状態を示す。このシャープペンシルは芯を繰り出す繰り出し機構と、スイッチ本体を突出状態と格納状態とに変化させる操作スイッチ機構とを備える。まず、シャープペンシルの繰り出し機構について説明する。
【００２８】
芯繰り出し機構には、従来から様々な機構が用いられており、ここではその一例を説明する。勿論、芯軸をスライドさせることで芯を繰り出すことができれば、この一例に限定されない。シャープペンシルの外筒２０１内には、芯を収容するパイプ状の芯軸５が設けられている。芯軸５の先端には芯をクランプできるチャック６が取り付けられる。そして、芯軸５を外筒２０１に対して芯軸５の軸線方向に移動させることで、先具２０５から芯を繰り出す。
【００２９】
図４はチャック６の詳細図を示す。図４（Ａ）は芯をクランプした状態のチャック６を示し、図４（Ｂ）は芯を開放した状態のチャック６を示す。チャック６はその前端から後方に向かって伸びる複数の、例えば３つのスリットにより、弾性力を有する３つのチャック片を形成している。このチャック６はその外周が前端から後方に向かって徐々に外形が狭められるテーパーに形成される。このテーパーにより、チャック６が締めリング６ａに嵌め入れられる際は強い締め付け力が生じ、この力でチャック６が芯をクランプする。
【００３０】
図２及び図３に示されるように、チャック６よりも後方には、鍔部７が形成される。締めリング１０は、チャック６の外周に嵌合すると共に、先具２０５の溝内で前後移動可能になっている。締めリング１０と鍔部７との間に、芯軸５及びチャック６を後方に付勢するためのばね９が介装される（図５及び図６も参照）。
【００３１】
芯軸５と共にチャック６をばね９の力に抗して前進させると、締めリング１０が溝の前端に当接するまでは、締めリング１０がチャック６を締め付けたまま一緒に前進する。このためチャック６は芯をクランプしたまま前進する。そして、締めリング１０が溝の前端に到達した後、チャック６をさらに前進させると、ばね９が縮み（図６参照）、チャック６が締めリング１０から開放される。このため、チャック片がその弾性力によって拡開し、芯に対するクランプ力が解除される。その後、芯軸５をばね９の力で後方に移動させると、チャック６は芯を開放した前端位置から後退を始める。締めリング１０が溝の後端に当接するまでは、締めリング１０がチャック６と一緒に後退するので、チャック６が芯を開放した前端位置から開放状態のまま一定距離だけ後退する。芯はチャック６により前方に繰り出された位置に残される。そして、締めリング１０が溝の後端に当接すると、チャック６はばね９の力で締めリング１０に嵌められる。このとき、締めリング１０がチャック６を締め付けるので、チャック６が芯を強い力でクランプする。
【００３２】
以上に記載のチャック６の前後移動及びクランプ及びクランプ解除動作を利用して、先具２０５の先端からほぼ一定量ずつ芯を繰り出す。
【００３３】
次に操作スイッチ機構について説明する。図７及び図８はスイッチ本体２０２を格納した状態の詳細図を示し、図９及び図１０はスイッチ本体２０２を突出させた状態の詳細図を示す。スイッチ本体２０２を突出状態と格納状態とにその形状を変化させる操作スイッチ機構は、芯軸５に設けられ、スイッチ本体２０２の前方部２１１を支持するスイッチ前方支持部２０９と、芯軸５に対してスライド可能に設けられ、スイッチ本体２０２の後方部２１２を支持するスイッチ後方支持部２１０と、を備える。なお、これ以降の説明では、先具２０５側を前方、キャップ２０６側を後方と呼ぶ。
【００３４】
スイッチ本体２０２の前方には、スイッチ本体２０２の前方部２１１を支持するスイッチ前方支持部２０９が芯軸５に一体に設けられる。スイッチ本体２０２の後方には、スイッチ本体２０２の後方部２１２を支持するスイッチ後方支持部２１０が芯軸５に対してスライド可能に設けられる。スイッチ本体２０２は前方部２１１と後方部２１２とに２分割される。前方部２１１の前端は、スイッチ前方支持部２０９に回転可能に支持される。後方部２１２の後端も、スイッチ後方支持部２１０に回転可能に支持される。スイッチ本体２０２の前方部２１１と後方部２１２とは、三角形状の突出形状と平たい平面形状とに形状が変化できるように、互いに回転可能に連結される。前方部２１１と後方部２１２とは例えばヒンジ機構を介して連結される。前方部２１１と後方部２１２とは、ヒンジ機構の他にもゴム等の弾性体で連結されてもよい。
【００３５】
スイッチ後方支持部２１０よりも後方側の外筒２０１内には、芯軸５がスライドするのを案内する円筒状の案内部２１３が設けられる。案内部２１３とスイッチ後方支持部２１０との間には、弾性部材として圧縮ばね２１４が設けられる。また、外筒２０１内には、スイッチ後方支持部２１０に引っ掛かる板ばね状のストッパ２１５が設けられる。スイッチ後方支持部２１０には、この板ばね状のストッパ２１５を撓ませる格納状態解除スイッチ２１６が跨いでいる。
【００３６】
次に各部品の説明をする。図８及び図１０に示されるように、スイッチ本体２０２の前方部２１１と後方部２１２は、水平部２１１ａ，２１２ａと水平部２１１ａ，２１２ａの両側から垂れ下がる袖部２１１ｂ，２１２ｂとを有する。袖部２１１ｂ，２１２ｂは操作スイッチが突出したときに、操作スイッチ２０２と外筒との間に隙間が空くのを防止するので、見た目が美しくなる。前方部２１１と後方部２１２の内面には、板状の補強プレート２１７が配置される。この補強プレート２１７は、スイッチ本体２０２が押し潰されたときに芯軸５に当接して、スイッチ本体２０２が所定量以上潰れるのを防止する。後方部２１２の前後方向の長さは、前方部２１１の前後方向の長さよりも長い。また、前方部２１１の水平部２１１ａは凹形状に形成され、後方部２１２の水平部２１２ａは凸形状に形成される。前方部２１１の袖部２１１ｂと後方部２１２との袖部２１２ｂとの間には、前方部２１１と後方部２１２の結合部分から所定の角度の開き角度を持つ切り欠き２１８が形成される。この切り欠き２１８を設けることによって、スイッチ本体２０２が三角形状に変形できる。前方部２１１及び後方部２１２の側面には、スイッチ本体２０２が外筒２０１から脱落するのを防止する脱落防止フック２１９が設けられる。
【００３７】
図１１は、スイッチ前方支持部２０９の斜視図を示す。スイッチ前方支持部２０９には、芯が収容されるパイプ５ａがはめ込まれる。スイッチ前方支持部２０９の後方側には、スイッチ本体２０２の前方部２１１を回転可能に支持するための突出部２０９ａが設けられる。
【００３８】
図１２は、ストッパ２１５が取り付けられる部分のシャープペンシルの断面図を示す。外筒２０１の底面には扁平な空洞２０１ａが形成され、この空洞２０１ａにストッパ２１５が嵌められる。
【００３９】
図１３はストッパ２１５の詳細図を示す。図１３（Ａ）はストッパ２１５の上面図を示し、図１３（Ｂ）はストッパ２１５の底面図を示す。ストッパ２１５はプラスチック又は金属製である。ストッパ２１５の上面には複数の突起２１５ａが設けられ、この突起２１５ａが外筒２０１の空洞２０１ａの上部プレート２２０の孔部に嵌まる。ストッパ２１５の底部には断面三角形状の突条２１５ｂが形成される。ストッパ２１５を空洞２０１ａにセットすると、突条２１５ｂが外筒２０１の内周面に当接して板ばね状のストッパ２１５が撓んだ状態になる。勿論、ストッパ２１５には最初から撓んだ形状のものを使用してもよい。ストッパ２１５の上面は芯軸５に接触し、芯軸５が移動するのを案内する。
【００４０】
図１４は、格納状態解除スイッチ２１６近辺の断面図を示す。格納状態解除スイッチ２１６本体は略鞍形状に形成され、その側部には抜け防止フック２１６ａが設けられる。この抜け防止フック２１６ａは格納状態解除スイッチ２１６が外筒２０１から抜けるのを防止する。
【００４１】
図１５及び図１６は、スイッチ後方支持部２１０を示す。図１５は上方側からみた斜視図を示し、図１６は下方側からみた斜視図を示す。スイッチ後方支持部２１０の前方側には、スイッチ本体２０２の後方部２１２を回転可能に支持するための突出部２１０ａが設けられる。スイッチ後方支持部２１０は薄肉部２１０ｂを有し、この薄肉部２１０ｂを格納状態解除スイッチ２１６が跨いでいる。薄肉部２１０ｂは断面半円形状に形成され、その下部から芯軸５が露出する。薄肉部２１０ｂを断面半円形状に形成したのは、円形状に形成することによって余分なスペースを取られるのを防止するためである。
【００４２】
スイッチ後方支持部２１０には、ストッパ２１５の先端が当接する第１の当接部２２１と、第１の当接部２２１の前方側に該第１の当接部２２１と段差を付けて第２の当接部２２２が形成される。図７に示されるように、格納状態のスイッチ本体２０２を後方に移動させたときに、ストッパ２１５の先端がスイッチ後方支持部２１０の第２の当接部２２２に当接する。この状態から、外筒２０１の側面に露出する格納状態解除スイッチ２１６を押圧し、板ばね状のストッパ２１５を撓ませると、ストッパ２１５と第２の当接部２２２との引っ掛かりが解除されて、図９に示されるように、ストッパ２１５と第１の当接部２２１とが当接する。このとき、スイッチ後方支持部２１０が前方に移動するので、スイッチ本体２０２は突出状態となる。
【００４３】
ここで、第１の当接部２２１は、圧縮ばね２１４によるスイッチ後方支持部２１０の前方への移動を制限する機能も有する。ストッパ２１５及び第１の当接部２２１を設けることにより、圧縮ばね２１４を強くしても、繰り出し機構のばねに力がかかることがない。圧縮ばね２１４を強くすることで、スイッチ本体２０２を上方から押圧しても、スイッチ後方支持部２１０が後方に移動するのを防止することができ、芯を繰り出すことができる。なお、ストッパ２１５を設けない場合には、圧縮ばね２１４は、芯繰り出し機構のばね９よりも弱い必要がある。スイッチ本体２０２を突出させるときに、圧縮ばね２１４が強いと、芯を繰り出す前に芯軸５が前方に移動してしまうからである。
【００４４】
図１７は、案内部２１３の斜視図を示す。案内部２１３は外筒２０１に固定される。案内部２１３には、芯軸５がスライドする貫通孔２１３ａが形成される。また案内部２１３の後方側の側面には、漏斗形状のくぼみ２１３ｂが形成される。芯軸５に芯を挿入する際は、このくぼみに沿って芯を挿入する。案内部２１３と外筒２０１との固定手段は、フック等様々な手段が考えられえる。
【００４５】
図１８は、突出したスイッチ本体２０２を示す。突出したスイッチ本体２０２を格納するときは、スイッチ本体２０２の前方部２１１を後方に向かって押す。後方に押し易くするために、前方部２１１は凹まされている。一方、芯を繰り出すときは、スイッチ本体２０２の後方部２１２を下又は斜め前方に向かって押す。スイッチ本体２０２を押し易くするために、後方部２１２は凸形状に形成され、後方部２１２は前方部２１１よりも長い。
【００４６】
シャープペンシルの使用方法について説明する。まず、図７に示される格納状態において、格納状態解除スイッチ２１６を押すと、板ばね状のストッパ２１５が撓み、スイッチ後方支持部２１０と第２の当接部２２２との引っ掛かりが外される。そうすると、圧縮ばね２１４によってスイッチ後方支持部２１０は、第１の当接部２２１がストッパ２１５に引っ掛かるまで前方へ移動する。これにより、図９に示されるように、スイッチ後方支持部２０９とスイッチ前方支持部２１０とが近接して、スイッチ本体２０２が突出する。
【００４７】
この突出状態のスイッチ本体２０２を下方向に向かって又は斜め前方に向かって押圧すると、図３に示されるように、芯軸５が前方に移動し、芯繰り出し機構から芯が繰り出される。前方に移動した芯軸５は、その後、繰り出し機構のばね９の復元力によって元の位置に戻され、スイッチ本体２０２も突出状態に戻る。芯を繰り出す際はこの操作を繰り返す。
【００４８】
ここで、この繰り出し操作の際、繰り出し機構に設けたばね９と共に圧縮ばね２１４も撓むので、圧縮ばねが縮んだ分、前方支持部２１０と後方支持部２０９との間の離間距離も大きくすることができ、ひいては三角形状に突出したスイッチ本体２０２を潰すストロークも大きくすることができる。これにより、繰り出し操作も容易になる。
【００４９】
なお、芯を繰り出す際、突出状態のスイッチ本体２０２を押圧することなく、スイッチ本体２０２を芯軸５の軸線方向に移動させてもよい。
【００５０】
次に、スイッチ本体２０２を格納する方法について説明する。突出状態のスイッチ本体２０２の前方部２１１を後方に向かって押圧し、スイッチ後方支持部２１０を後退させると、図２に示されるように、スイッチ後方支持部２１０の第２の当接部２２２がストッパ２１５に引っ掛かり、スイッチ前方支持部２０９とスイッチ後方支持部２１０とが離間してスイッチ本体２０２が格納状態になる。この格納状態では、芯繰り出し機構が芯を把持できるように、芯軸５が外筒２０１に対して後方に移動している。したがって、スイッチ本体２０２を格納した邪魔にならない状態で筆記することができる。
【００５１】
図１９は、本発明の第２の実施形態におけるシャープペンシルを示す。図１９（Ａ）はスイッチ本体３０２が突出した状態を示し、図１９（Ｂ）はスイッチ本体３０２を押圧して芯を繰り出す状態を示し、図１９（Ｃ）はスイッチ本体３０２を格納した状態を示す。この第２の実施形態のシャープペンシルの繰り出し機構は、第１の実施形態のシャープペンシルの繰り出し機構なので、その説明を省略する。
【００５２】
スイッチ本体３０２を突出状態と格納状態とに変化させる操作スイッチ機構は、第１の実施形態の操作スイッチ機構と同様に、スイッチ本体３０２の前方部を支持するスイッチ前方支持部３０３と、スイッチ本体３０２の後方部を支持するスイッチ後方支持部３０４と、芯軸３０６がスライドするのを案内する案内部３０５と、案内部３０５とスイッチ後方支持部３０４との間に設けられる圧縮ばね３０８と、を備える。
【００５３】
この第２の実施形態では、スイッチ本体３０２を押圧して、芯軸３０６を後方に移動させると、スイッチ本体３０２の側面に設けたフック３０２ａが外筒３１０の内周面に突出して設けた横棒３１１（図２６参照）に引っ掛かる。フック３０２ａが横棒３１１に引っ掛かると、スイッチ本体３０２は図（Ｃ）に示されるように格納状態になる。
【００５４】
この横棒３１１の長さは短く、格納状態のスイッチ本体３０２が外筒３１０の前方に移動すると、フック３０２ａと横棒３１１との引っ掛かりが外れ、スイッチ後方支持部３０４が前方に移動する。これにより、スイッチ本体３０２が図（Ａ）に示される突出状態になる。スイッチ本体３０２を突出させる動力は圧縮ばね３０８から与えられる。突出状態のスイッチ本体３０２を下方向に向かって又は斜め前方に向かって押圧すると、図（Ｂ）に示されるように、芯軸３０６が前方に移動し、芯繰り出し機構から芯が繰り出される。フック３０２ａはスイッチ本体３０２の１箇所のみに設けてもよいし、前方部及び後方部に２箇所設けてもよい。フック３０２ａを複数設けることで引っ掛かりが安定する。
【００５５】
この実施形態のように、スイッチ本体３０２のフック３０２ａを外筒３１０に引っ掛けたり、これらの引っ掛かりを外すことによって、スイッチ本体３０２を格納状態と突出状態に変化させてもよい。この場合、第１の実施形態のような格納状態解除スイッチが不要になる。
【００５６】
次にこの実施形態のシャープペンシルの各部の構造について説明する。図２０は、スイッチ前方支持部３０３の側面図を示す。スイッチ前方支持部３０３は、芯軸３０６に固定される。スイッチ前方支持部３０３の後方側には、スイッチ本体３０２の前方部３１１を回転可能に支持するための突出部３０３ａが設けられる。
【００５７】
図２１及び図２２は、スイッチ後方支持部３０４を示す。図２１は上方側からみた斜視図を示し、図２２は側面図を示す。スイッチ後方支持部３０４の前方側には、スイッチ本体３０２の後方部３１２を回転可能に支持するための突出部３０４ａが設けられる。スイッチ後方支持部３０４には貫通穴３０４ｂが形成され、この貫通穴３０４ｂを芯軸３０６が貫通している。このスイッチ後方支持部３０４には、外筒３１０に設けたストッパ３１４に引っ掛かる第１の当接部３１５が形成される。ストッパ３１４と第１の当接部３１５とが当接するとき、スイッチ本体３０２は突出状態となる。ストッパ３０２を設けることにより、圧縮ばね３０８を強くすることができ、スイッチ本体３０２を上方から押圧してもスイッチ後方支持部３０４が後方に移動することなく、芯を繰り出すことができる。
【００５８】
図２３及び図２４はスイッチ本体３０２の斜視図を示す。この実施形態のスイッチ本体も前方部３１１と後方部３１２とに２分割されている。前方部３１１と後方部３１２とは、三角形状の突出形状と平面形状とに形状が変化できるように、互いに回転可能に連結される。具体的には、前方部３１１と後方部３１２とはヒンジ機構３２１を介して連結される。
【００５９】
図２５はスイッチ本体３０２の他の例を示す。図（Ａ）に示されるように、スイッチ本体３０２は板状に形成されてもよいし、図（Ｂ）に示されるように、前方部３１１及び後方部３１２の長さを異ならせてもよい。
【００６０】
図２６は、スイッチ本体３０２のフック３０２ａと外筒３１０の横棒３１１との引っ掛かりを示す。図２６（Ａ）は斜視図を示し、図２６（Ｂ）は断面図を示し、図２６（Ｃ）は他の例を示す。図２６（Ｂ）に示されるように、フック３０２ａを下端に向かって横幅が狭くなるように形成し、スイッチ本体３０２を押し下げることで、スイッチ本体３０２の袖部３０２ｂを徐々に撓ませ、フック３０２ａの上端と横棒３１１の下端とを引っ掛けてもよいし、図（Ｃ）に示されるように、フック３０２ａに横棒３１１の内側面と接触する垂直面３０２ｃを設け、フック３０２ａと横棒３１１とを引っ掛けてもよい。また図示しないが、フック３０２ａはスイッチ本体３０２の片側にのみ設けてもよい。
【００６１】
図２７は、スイッチ本体３０２と外筒３１０とを引っ掛ける替わりに、操作スイッチ機構のスイッチ後方支持部３０４と外筒３１０の突起３１０ａとを引っ掛けた例を示す。解除スイッチ３１５を押すと、芯軸３０６が撓み、スイッチ後方支持部３０４と外筒３１０との引っ掛かりが解除され、スイッチ後方支持部３０４が前方に移動する。解除スイッチ３１５は、図２８に示されるように様々な位置に配置することができる。
【００６２】
図２９は、スイッチ本体３０２を格納状態から突出状態に動作させるばねの他の例を示す。この図に示されるように、スイッチ本体３０２を動作させるばねは、前方部３１１と後方部３１２とに掛け渡された引っ張りばね３１６であってもよい。
【００６３】
図３０は、スイッチ本体３０２を格納状態から突出状態に動作させるばねの更に他の例を示す。この図に示されるように、スイッチ本体３０２を動作させる動力は、ばねでなくても、両端が前方部３１１と後方部３１２との間に掛け渡されたゴム３１６でもよい。この場合、前方部３１１及び後方部３１２の補強板３１７には、ゴム３１６を掛け渡すための切り欠き３１７ａが形成され、ゴム３１６の両端には、補強板３１７に取り付けるための金属クリップ３１６ａが設けられることもあるし、切り欠き３１６ｂが形成されることもある。ゴム３１６はリング状に形成されてもよい。またゴム３１６の他に形状記憶素材を用いることもできる。
【００６４】
図３１は、操作スイッチ機構の他の例を示す。この操作スイッチ機構も、上記第１の実施形態及び第２の実施形態のシャープペンシルと同様に、外筒の側面から突出する突出状態と、外筒に格納された格納状態とに変化できるスイッチ本体４０２と、芯軸４０３に設けられ、スイッチ本体４０２の前方部を支持するスイッチ前方支持部４０４と、芯軸４０３に対してスライド可能に設けられ、スイッチ本体４０２の後方部を支持するスイッチ後方支持部４０５と、を備える。この実施形態では、スイッチ本体４０２自体の形状は変化しない。そして、スイッチ後方支持部４０５は斜めに切り出されている。スイッチ後方支持部４０５が前方に移動すれば、スイッチ本体４０２が突出する。逆にスイッチ本体４０２を下方に押せば、スイッチ後方支持部４０５が後方に移動する。
【００６５】
図３２は、形状が変化できるスイッチ本体の他の実施形態を示す。外筒１には、軸線方向に沿って細長い開口部１４が開けられる。スイッチ本体６１は、この開口部１４内に格納された状態と、開口部１４から突出した状態とに形状が変化する。図中（Ａ）はスイッチ本体６１が開口部１４から突出した突出状態を示し、図中（Ｂ）はスイッチ本体６１が開口部１４内に格納された格納状態を示す。
【００６６】
図中（Ａ）に示されるように、親指又は人差指でスイッチ本体６１を外筒に対して軸線方向にスライドさせると、後述するスイッチ本体６１のフックが切り欠き６２の位置まで移動し、フックと開口部１４の縁との係合が解除されて、スイッチ本体６１が格納状態から突出状態に変化する。スイッチ本体６１を押し易くするために、外筒１の開口部１４の後側には、凹み６３が形成される。
【００６７】
一方、図中（Ｂ）に示されるように、突出状態のスイッチ本体６１を親指又は人差指で押すと、スイッチ本体６１が沈み込み、フックと開口部１４の縁とが係合してスイッチ本体６１の形状が突出状態から格納状態に変化する。
【００６８】
芯を繰り出す芯繰り出し機構の構造は、上記実施形態のシャープペンシルと略同様である。スイッチ本体６１を外筒１の前方にスライドさせるときは、芯繰り出し機構１２のばね９のばね力に抗してスライドさせることになる。スイッチ本体６１を突出させた後、スイッチ本体６１から手を離すと、スイッチ本体６１は、ばね力によって外筒１の後方に付勢される。このときスイッチ本体６１を押すと、スイッチ本体６１のフックが開口部１４の縁に係合する。
【００６９】
図３３はスイッチ本体６１の側面形状を示す。スイッチ本体６１は、板状の部材を折り曲げて形成され、ベース６５と、ベース６５に対して折り曲げられた第１の側面部６６と、第１の側面部６６に対して折り曲げられた第２の側面部６７と、第２の側面部６７に対して折り曲げられたスライド部６８とを備える。第１の側面部６６は、ベース６５側の一辺６６ａを軸としてベース６５に対して回転可能である。第２の側面部６７は、第１の側面部６６のベース側の一辺６６ａに対向する他の辺６６ｂを軸として、第１の側面部６６に対して回転可能である。スライド部６８はベース６５に対してスライド可能であり、このため第２の側面部６７は、そのベース６５側の一辺６７ａがベース６５に対してスライド可能になっている。なお、この実施形態では、スイッチ本体６１を操作し易くするために、第１の側面部６６の表面と第２の側面部６７の表面それぞれにゴム７７を貼っている。
【００７０】
スイッチ本体６１のフックと開口部１４の縁との係合が解除されると、図中（Ａ）に示されるように、ベース６５、第１の側面部６６及び第２の側面部６７によって形成される立体の側面形状が三角形状になる。この形状がスイッチ本体６１の元の形状である。スイッチ本体６１はこの形状を記憶している。図中（Ｂ）に示されるように、スイッチ本体６１を上方から押し、三角形状を徐々に潰し、フックと開口部１４の縁とを係合させると、第１の側面部６６と第２の側面部６７とが略一平面上に配置される。
【００７１】
図３４はスイッチ本体６１及び中間プレート１７を示し、図３５はスイッチ本体の裏面側斜視図を示す。三角形状のスイッチ本体６１のベース６５の下面には、一対のフック片６９が設けられる。この一対のフック片６９をスイッチ本体取付け穴２１に係合させて、スイッチ本体６１を連結部１６及び中間プレート１７に固定する。上述のように、スイッチ本体６１は平らな形状から三角形状に形状が変化する。スイッチ本体のベース６５は平らに形成される。一方、中間プレート１７は湾曲した形状に形成される。平らなベース６５を湾曲した形状の中間プレート１７に取り付けるため、図３５に示されるように、ベース６５の下面のフック片６９の両側に、中間プレート１７に合わせて湾曲させた脚部７０を設けている。
【００７２】
図３６は突出した状態のスイッチ本体６１を示す。突出した状態のスイッチ本体を前方に押し易くするため、第２の側面部６７は三角形の内側に向かって凸になるように湾曲される。また第１の側面部６６の幅方向の両端には、開口部１４の縁に係合するフック７１が設けられる。
【００７３】
図３７は、スイッチ本体６１のフック７１と開口部１４の縁が係合した状態を示す。図中（Ｂ）に示されるスイッチ本体６１を上方から押すと、図中（Ａ）に示されるように、スイッチ本体６１のフック７１が開口部１４の縁に係合する。これによりスイッチ本体６１が格納された状態になる。
【００７４】
図３８は、スイッチ本体６１のフック７１と開口部１４の縁との係合が解除された状態を示す。図中（Ｂ）に示されるように、外筒１の開口部１４の縁には一対の切り欠き７９が形成される。格納されたスイッチ本体６１を外筒１の前方にスライドさせ、フック７１が切り欠き７９まで移動すると、図中（Ａ）に示されるように、フック７１と開口部１４の縁との係合が解除される。そして、スイッチ本体６１は元の形状の三角形状に復元する。
【００７５】
図３９はスイッチ本体６１の詳細な斜視図を示す。ベース６５の幅方向の両端部は案内溝６５ａを形成するように折り曲げられている。スライド部６８は、この案内溝６５ａに案内されてベース６５に対してスライドする。スライド部６８をベース６５の案内溝６５ａに挿入できるように、第２の側面部６７とスライド部６８との連結部分はその幅方向の両端部７４がくびれていて、またスライド部６８の横幅は第２の側面部６７の横幅よりも狭くなっている。
【００７６】
図４０はスイッチ本体６１を示す。図中（Ａ）は側面形状を示し、図中（Ｂ）は断面形状を示す。第１の側面部６６の幅方向の両端にはフック７１が形成される。ベース６５にはスライド部６８が収納されている。
【００７７】
図４１もスイッチ本体６１を示す。図中（Ａ）はスイッチ本体６１のフック７１と開口部１４の縁とが係合している状態を示し、図中（Ｂ）はフック７１が開口部１４の縁から外れ、スイッチ本体６１が浮き始めている状態を示し、図中（Ｃ）はスイッチ本体６１のベース６５の平面図を示す。図中（Ａ）に示されるように、スイッチ本体６１を折りたたむと、第１の側面部６６に設けたフック７１とベース６５の両端部とが干渉する。フック７１とベース６５とが干渉しないように、ベース６５の両端部の一部７５が削られる。
【００７８】
図４２ないし図４７は、中間プレート１７とスイッチ本体６１との関係を示す。図４２は中間プレート１７とスイッチ本体６１の斜視図を示し、図４３（Ａ）は中間プレート１７に取り付けられたスイッチ本体６１の側面図を示し、図４３（Ｂ）は中間プレート１７に取り付けられたスイッチ本体６１の断面図を示す。図４４及び図４５は、外筒１に組み込まれた中間プレート１７及びスイッチ本体６１を示す。図４５中（Ａ）は断面図を示し、（Ｂ）は平面図を示す。図４６は外筒１に組み込まれた案内部材１８と中間プレート１７の断面図を示し、図４７は案内部材１８の斜視図を示す。
【００７９】
図４３の断面図に示されるように、スイッチ本体６１の横幅は中間プレート１７の横幅よりも小さい。また、図４４及び図４５に示されるように、開口部１４の後端部には凹み６３が形成される。この凹み６３は最初にスイッチ本体６１を動かすために必要である。凹み６３に指が落ち込むように入り、第２の側面部を容易に押せるようなる。外筒１と中間プレート１７との間の隙間を小さくするために、凹み６３が形成された部分の中間プレート１７の厚みを薄くし、開口部１４の前側の凹み６３が形成されていない部分の中間プレートの厚みを厚くしている。また、スイッチ本体６１がスライドする分、第１の側面部６６と開口部１４の前端との間には隙間Ｗが空けられる。
【００８０】
図４６及び図４７に示されるように、案内部材１８には案内溝１８ａが形成され、この案内溝１８ａに中間プレート１７が嵌る。この案内溝１８ａの底面と中間プレート１７との間に摩擦が生じないように、中間プレート１７にはプラスチックの軟らかいものやセルロイドが用いられるのが望ましい。ただし、スイッチ本体６１が嵌まるスイッチ本体取り付け穴２１の強度は上げる必要がある。
【００８１】
図４８はスイッチ本体の他の実施形態を示す。図中（Ａ）はスイッチ本体６１の斜視図を示し、図中（Ｂ）はスイッチ本体６１に被せられる弾性キャップ７２の表面側斜視図を示し、図中（Ｃ）は弾性キャップ７２の裏面側斜視図を示す。スイッチ本体６１の構造は上記実施形態のスイッチ本体と略同様なので、同一の符号を付してその説明を省略する。この実施形態では、スイッチ本体６１にゴム製の弾性キャップ７２を被せ、弾性キャップ７２の復元力でスイッチ本体６１を三角形状にする。スイッチ本体６１自体は必ずしも自身の復元力によって三角形状に戻る必要はない。
【００８２】
図中（Ｂ）及び（Ｃ）に示されるように、弾性キャップ７２は、第１の側面部６６の外側に密着する第１の覆い部７３と、第２の側面部６７の外側に密着する第２の覆い部７４と、第１の覆い部７３の幅方向の一端の辺７３ａと第２の覆い部７４の幅方向の一端の辺７４ａとを連結する第１の連結部７５と、第１の覆い部７３の幅方向の他端７３ｂの辺と第２の覆い部７４の幅方向の他端の辺７４ｂとを連結する第２の連結部７６と、を有する。弾性キャップ７２は、スイッチ本体６１のフック７１と開口部１４の縁が係合したとき、弾性変形して、第１の側面部６６と第２の側面部６７とが略一平面上に配置されるのを許容する。一方、フック７１と開口部１４の縁の係合が解除されたとき、復元して、ベース６５、第１の側面部６６及び第２の側面部６７によって形成される立体の側面形状を三角形状にする。
【００８３】
図４９ないし図５１は、スイッチ本体のさらに他の実施形態を示す。図４９中（Ａ）はスイッチ本体８１の斜視図を示し、図４９中（Ｂ）は弾性キャップ９１の表面側斜視図を示し、図４９中（Ｃ）は弾性キャップ９１の裏面側斜視図を示す。この実施形態のスイッチ本体８１では、第１及び第２の側面部８３，８４の幅方向の一端の辺８３ａ，８４ａ及び他端の辺８３ｂ，８４ｂには、第１及び第２の側面部８３，８４がベース８２側の一辺８３ｃ，８４ｃからこのベース８２側の一辺８３ｃ，８４ｃに対向する他の辺８３ｄ，８４ｄに向かって幅が狭くなるように、段差８６が形成される。すなわち第１及び第２の側面部８３，８４の真中よりも上側ａ−１及びｂ−１を下側ａ−２及びｂ−２よりも少し細くしている。これに伴い、弾性キャップ９１の第１及び第２の連結部９２にも、スイッチ本体の第１及び第２の側面部８３，８４の幅方向の一端の辺８３ａ，８４ａ及び他端の辺８３ｂ，８４ｂの段差８６に対応する連結部段差９３が形成される。
【００８４】
図５０は弾性キャップ９１が被せられたスイッチ本体８１の側面形状を示す。弾性キャップ９１が被せられたスイッチ本体８１の側面形状は三角形状に形成されるが、その高さ方向の中央には連結部段差９３が形成される。
【００８５】
図５１は、弾性キャップ９１が被せられたスイッチ本体８１の形状の変化を示す。図中（Ａ）に示されるスイッチ本体９１を上方から押すと、図中（Ｂ）に示されるように、上段部の三角形９４は、鈍角三角形になると共に、連結部段差９３が折り返されて下段の台形９５の中に埋もれていく。図中（Ｃ）に示されるように、スイッチ本体８１をさらに潰すと、連結部段差９３の折り返しが深くなると共に上段部の三角形９４の部分は平らになる。そして、側面からみて平らになった上段部の三角形９４は連結部段差９３の折り返しの中に完全に埋もれる。このように連結部段差９３を設けると、スイッチ本体８１を押し潰したときに弾性キャップ９１がだぶつくことがない。
【００８６】
図５２ないし図５４はスイッチ本体の更に他の実施形態を示す。図５２では、弾性キャップ９１を取り外した状態のスイッチ本体１０１を示す。この実施形態では、弾性キャップ９１を被せてもスイッチ本体１０１をスムーズにスライドするために（摩擦係数の大きい弾性キャップが開口部１４の縁に接触して摩擦抵抗が大きくならないようにするために）、ベース１０２の外側に縁１０５を設けている。ただし、スイッチ本体１０１を折畳んだとき、第１の側面部１０３に設けたフック１０６が縁１０５に干渉しないように、縁１０５には切り込み１０５ａが設けられる。また、スイッチ本体１０１をスライドする際、指で第２の側面部に触れ易くするために、縁１０５に切り込み１０５ｂを入れている。
【００８７】
図５３はスイッチ本体１０１のフック１０６の詳細図を示す。スイッチ本体１０１には弾性キャップ９１が被せられるので、図中（Ａ）に示されるようにフック１０６を外側に突出させている。図中（Ｂ）に示されるように、弾性キャップ９１を被せたとき、フック１０６には、弾性キャップ９１の外側に突出する第１の突出面１０７が形成され、第１の突出面１０７の外側にフック先端１０８が形成される。第１の突出面１０７は、ベース１０２に形成した縁１０５の外側と略同じ位置までとび出ている。
【００８８】
図５４はスイッチ本体１０１と外筒１の開口部１４との位置関係を示す。図中（Ａ）は平面図を示し、図中（Ｂ）は断面図を示す。スイッチ本体１０１を上から押すと、フック先端１０８が開口部１４の縁に引っ掛かる。スイッチ本体１０１を前方にスライドさせると、開口部１４の縁の切り欠き７９からフックが外れ、スイッチ本体１０１が突出する。
【００８９】
図５５は、上記のスイッチ本体１０１の突出した状態（図中（Ａ））と格納した状態（図中（Ｂ））を示す。図中（Ａ）の上段には斜視図が示され、中段には正面図が示され、下段には側面図が示されている。
【００９０】
図５６は、第１及び第２の側面部に三段の段差を付けたスイッチ本体を１１１示す。図中（Ａ）はスイッチ本体１１１の突出した状態を示し、図中（Ｂ）はスイッチ本体１１１の格納した状態を示す。図中(1)の部分の内側に(2)の部分が折り返され、(2)の部分の内側に(3)の部分が折り返されている。この例に示されるように、スイッチ本体１１１の弾性キャップには三段の段差を付けてもいい。
【００９１】
図５７ないし図５９は、スイッチ本体１１５のさらに他の実施形態を示す。図５７はスイッチ本体１１５の第１及び第２の側面部１１７，１１８の斜視図を示し、図５８はスイッチ本体１１５のベース１１６の底面図を示し、図５９はスイッチ本体１１５の側面図を示す。この実施形態ではスイッチ本体１１５に板状のスライド部が設けられることがなく、その代わりに第２の側面部１１８に嵌め込まれた嵌め込み部材１１９によって、第２の側面部１１８がベース１１６に対してスライドする。
【００９２】
図５７（Ａ）及び（Ｂ）に示されるように、スイッチ本体１１５の第２の側面部１１８の先端には、丸く膨らませた膨出部１１８ａが形成され、この膨出部１１８ａに図中（Ｃ）で示される嵌め込み部材１１９が嵌め込まれる。嵌め込み部材１１９には、丸棒部１２０が形成される。
【００９３】
図５８に示されるように、ベース１１６にはスリット１１６ａが形成される。スリット１１６ａによってベース１１６の底面に設けた脚部１２１ａが分断されてしまうので、脚部１２１ａもスリット１１６ａの両側に２個設けると共に、スリット１１６ａに沿った長いものとする。
【００９４】
嵌め込み部材１１９をスリット１１６ａに通した後、嵌め込み部材１１９を第２の側面部１１８の先端に嵌め込む。具体的には、丸棒部１２０をベース１１６に形成されたスリット１１６ａと平行にして、スリット１１６ａを通した後、スリット１１６ａに対して垂直にする。この状態で、はめ込み部材１１９を第２の側面部１１８の膨出部１１８ａに嵌め込む。全体を組み立てた図５９に示されるように、板状のスライド部を設けなくても、嵌め込み部材１１９を使用すると、第２の側面部１１８をベース１１６に対してスライドできるのがわかる。
【００９５】
図６０は、スイッチ本体のさらに他の実施形態を示す。このスイッチ本体１３１には、格納した状態を薄くするための工夫がなされている。スイッチ本体１３１の第２の側面部１３３のベース１３２側の先端には、外筒１の開口部１４の縁に係合する出っ張り１３３ａが設けられる。この出っ張り１３３ａが外筒１に対してスライドする。図６１は、突出した状態及び格納した状態のスイッチ本体１３１を示す。スイッチ本体１３１には必要に応じて弾性キャップ１３５が被せられる。
【００９６】
図６２は、スイッチ本体１３１の詳細図を示す。図中（Ａ）に示されるように、ベース１３２が一部切れていて、切れた部分の先端に第２の側面部１３３が当接するようにしてもよい。また図中（Ｂ）に示されるように、ベース１３２に溝１３２ａを形成し、この溝１３２ａ内に第２の側面部１３３の下端突起１３３ｂが嵌まるようにしてもよい。この場合、溝１３２ａの底１３２ｂがストッパとなる。さらに図中（Ｃ）に示されるように、ベース１３３ａの両側に柵１３５を設け、この柵１３５に溝１３６を形成し、第２の側面部１３３の出っ張り１３３ａがこの溝１３６内をスライドするようにしてもよい。
【００９７】
図６３は、スイッチ本体のさらに他の実施形態を示す。このスイッチ本体１４１にも、格納した状態を薄くするための工夫がなされている。この実施形態では、第１の側面部１４３から第２の側面部１４４にわたって、溝１４５が形成される。溝１４５内には弾性部材として細長いゴム１４６が張られる。ゴム１４６の一端は第１の側面部１４３に結合され、他端は第２の側面部１４４に結合される。畳まれたときに、ゴム１４６が溝１４５内に収容されるので、スイッチ本体１４１の厚みが増えない。ゴム１４６を隠して見栄えを良くするために、スイッチ本体１４１を化粧部材１４７で覆ってもよい。
【００９８】
図６４は、スイッチ本体のフックの他の例を示す。フック１７を外筒１の開口部１４の縁に軽く係合させるために、フック１７の周囲に切れ目を入れて、フック１７が撓み易くしてもよい。
【００９９】
なお上記実施形態では、スイッチ本体をシャープペンシルに適用した例について説明したが、本発明はシャープペンシルのスイッチ本体に限られることなく、ボールペンのスイッチ本体、あるいは、ケースに開けられた開口部内に格納された格納状態と、開口部から突出した突出状態とに形状が変化できる様々なスイッチ本体に適用することができる。
【図面の簡単な説明】
【０１００】
【図１】本発明の第１の実施形態におけるシャープペンシルの外形斜視図。
【図２】シャープペンシルの断面図。
【図３】シャープペンシルの断面図。
【図４】チャックの詳細図。
【図５】ばねと鍔を示す図。
【図６】ばねと鍔を示す図。
【図７】スイッチ本体を格納した状態の断面図。
【図８】スイッチ本体を格納した状態の斜視図。
【図９】スイッチ本体を突出させた状態の断面図。
【図１０】スイッチ本体を突出させた状態の斜視図。
【図１１】スイッチ前方支持部の斜視図。
【図１２】ストッパが取り付けられる部分のシャープペンシルの断面図。
【図１３】ストッパの詳細図。
【図１４】格納状態解除スイッチ近辺の断面図。
【図１５】スイッチ後方支持部を示す斜視図（上方側から見た状態）。
【図１６】スイッチ後方支持部を示す斜視図（下方側から見た状態）。
【図１７】案内部の斜視図。
【図１８】突出したスイッチ本体を示す側面図。
【図１９】本発明の第２の実施形態におけるシャープペンシルを示す断面図。
【図２０】スイッチ前方支持部の側面図。
【図２１】スイッチ後方支持部の斜視図。
【図２２】スイッチ後方支持部の側面図。
【図２３】スイッチ本体の斜視図。
【図２４】スイッチ本体の斜視図。
【図２５】スイッチ本体の他の例を示す図。
【図２６】スイッチ本体のフックと外筒の横棒との引っ掛かりを示す図。
【図２７】操作スイッチ機構のスイッチ後方支持部と外筒とを引っ掛けた例を示す図。
【図２８】解除スイッチの配置を示す斜視図。
【図２９】スイッチ本体を格納状態から突出状態に動作させるばねの他の例を示す図。
【図３０】スイッチ本体を格納状態から突出状態に動作させるばねの更に他の例を示す図。
【図３１】操作スイッチ機構の他の例を示す図。
【図３２】形状が変化できるスイッチ本体の実施形態を示す斜視図（図中（Ａ）はスイッチ本体が開口部から突出した突出状態を示し、図中（Ｂ）はスイッチ本体が開口部内に格納された格納状態を示す）。
【図３３】スイッチ本体の側面形状を示す図（図中（Ａ）はスイッチ本体が開口部から突出した突出状態を示し、図中（Ｂ）はスイッチ本体が開口部内に格納された格納状態を示す）。
【図３４】スイッチ本体及び中間プレートを示す斜視図。
【図３５】スイッチ本体の裏面側斜視図。
【図３６】突出した状態のスイッチ本体を示す図。
【図３７】スイッチ本体のフックと開口部との関係を示す図（図中（Ａ）はフックと開口部の縁が係合した状態の断面図を示し、図中（Ｂ）はスイッチ本体を押している状態の斜視図を示す）。
【図３８】スイッチ本体のフックと開口部との関係を示す図（図中（Ａ）はスイッチ本体のフックと開口部の縁との係合が解除された状態の斜視図を示し、（Ｂ）は開口部の平面図を示す）。
【図３９】スイッチ本体の詳細な斜視図。
【図４０】スイッチ本体を示す図（図中（Ａ）は側面形状を示し、図中（Ｂ）は断面形状を示す）。
【図４１】スイッチ本体を示す図（図中（Ａ）はスイッチ本体のフックと開口部の縁とが係合している状態を示し、図中（Ｂ）はフックが開口部の縁から外れ、スイッチ本体が浮き始めている状態を示し、図中（Ｃ）はスイッチ本体のベースの平面図を示す）。
【図４２】中間プレートとスイッチ本体の斜視図。
【図４３】中間プレートとスイッチ本体を示す図（図中（Ａ）は中間プレートに取り付けられたスイッチ本体の側面図を示し、図２２（Ｂ）は中間プレートに取り付けられたスイッチ本体の断面図を示す）。
【図４４】外筒に組み込まれた中間プレート及びスイッチ本体を示す図。
【図４５】外筒に組み込まれた中間プレート及びスイッチ本体を示す（図中（Ａ）は断面図を示し、図中（Ｂ）は平面図を示す）。
【図４６】外筒に組み込まれた案内部材と中間プレートの断面図。
【図４７】案内部材の斜視図。
【図４８】スイッチ本体の他の実施形態を示す図（図中（Ａ）はスイッチ本体の斜視図を示し、図中（Ｂ）はスイッチ本体に被せられる弾性キャップの表面側斜視図を示し、図中（Ｃ）は弾性キャップの裏面側斜視図を示す）
【図４９】スイッチ本体のさらに他の実施形態を示す図（図中（Ａ）はスイッチ本体の斜視図を示し、図中（Ｂ）は弾性キャップの表面側斜視図を示し、図中（Ｃ）は弾性キャップの裏面側斜視図を示す）。
【図５０】弾性キャップが被せられたスイッチ本体の側面形状を示す図。
【図５１】弾性キャップが被せられたスイッチ本体の形状の変化を示す図。
【図５２】スイッチ本体の更に他の実施形態を示す図（弾性キャップを取り外した状態のスイッチ本体を示す斜視図）。
【図５３】スイッチ本体のフックの詳細図（図中（Ａ）は弾性キャップを取り外した状態を示し、図中（Ｂ）は弾性キャップを取り付けた状態を示す）。
【図５４】スイッチ本体と外筒の開口部との位置関係を示す図（図中（Ａ）は平面図を示し、図中（Ｂ）は断面図を示す）。
【図５５】スイッチ本体の突出した状態（図中（Ａ））と格納した状態（図中（Ｂ））を示す図。
【図５６】第１及び第２の側面部に三段の段差を付けたスイッチ本体を示す図（図中（Ａ）はスイッチ本体の突出した状態を示し、図中（Ｂ）はスイッチ本体の格納した状態を示す）。
【図５７】スイッチ本体のさらに他の実施形態を示す図（スイッチ本体の第１及び第２の側面部の斜視図を示す）。
【図５８】スイッチ本体のベースの底面図。
【図５９】スイッチ本体の側面図。
【図６０】スイッチ本体のさらに他の実施形態を示す図。
【図６１】スイッチ本体のさらに他の実施形態を示す図。
【図６２】スイッチ本体のさらに他の実施形態を示す図。
【図６３】スイッチ本体のさらに他の実施形態を示す図。
【図６４】スイッチ本体のさらに他の実施形態を示す図。
【符号の説明】
【０１０１】
１…外筒
５…芯軸
６１，８１，１０１，１３１，１４１…スイッチ本体
６２，７９…切り欠き
６５…ベース
６６…第１の側面部
６６ａ…ベース側の一辺
６６ｂ…他の辺
６７…第２の側面部
６７ａ…ベース側の一辺
７１，１０６…フック
７２，９１…弾性キャップ
７３…第１の覆い部
７３ａ…第１の覆い部の幅方向の一端の辺
７３ｂ…第１の覆い部の幅方向の他端の辺
７４…第２の覆い部
７４ａ…第２の覆い部の幅方向の一端の辺
７４ｂ…第２の覆い部の幅方向の他端の辺
７５…第１の連結部
７６…第２の連結部
８２…第１及び第２の連結部
８３，８４…第１及び第２の側面部
８３ａ，８４ａ…第１及び第２の側面部の幅方向の一端の辺
８３ｂ，８４ｂ…第１及び第２の側面部の幅方向の他端の辺
８３ｃ…ベース側の一辺
８３ｄ，８４ｄ…ベース側の一辺に対向する他の辺
８６…段差
９３…連結部段差
１４６…ゴム（弾性部材）
２０１…外筒
２０２…スイッチ本体
２０４…格納状態解除スイッチ
２０５…先具
２０６…キャップ
２０７…ゴム
２０９…スイッチ前方支持部
２１０…スイッチ後方支持部
２１１…前方部
２１２…後方部
２１３…案内部
２１５…ストッパ
２１６…格納状態解除スイッチ
２２１…第１の当接部
２２２…第２の当接部
３０２…スイッチ本体
３０３…スイッチ前方支持部
３０４…スイッチ後方支持部
３０５…案内部
３０６…芯軸
３１０…外筒
３１１…前方部
３１２…後方部
３１４…ストッパ
４０２…スイッチ本体
４０３…芯軸
４０４…スイッチ前方支持部
４０５…スイッチ後方支持部
【図１】
2006044218.tif 000003
【図２】
2006044218.tif 000004
【図３】
2006044218.tif 000005
【図４】
2006044218.tif 000006
【図５】
2006044218.tif 000007
【図６】
2006044218.tif 000008
【図７】
2006044218.tif 000009
【図８】
2006044218.tif 000010
【図９】
2006044218.tif 000011
【図１０】
2006044218.tif 000012
【図１１】
2006044218.tif 000013
【図１２】
2006044218.tif 000014
【図１３】
2006044218.tif 000015
【図１４】
2006044218.tif 000016
【図１５】
2006044218.tif 000017
【図１６】
2006044218.tif 000018
【図１７】
2006044218.tif 000019
【図１８】
2006044218.tif 000020
【図１９】
2006044218.tif 000021
【図２０】
2006044218.tif 000022
【図２１】
2006044218.tif 000023
【図２２】
2006044218.tif 000024
【図２３】
2006044218.tif 000025
【図２４】
2006044218.tif 000026
【図２５】
2006044218.tif 000027
【図２６】
2006044218.tif 000028
【図２７】
2006044218.tif 000029
【図２８】
2006044218.tif 000030
【図２９】
2006044218.tif 000031
【図３０】
2006044218.tif 000032
【図３１】
2006044218.tif 000033
【図３２】
2006044218.tif 000034
【図３３】
2006044218.tif 000035
【図３４】
2006044218.tif 000036
【図３５】
2006044218.tif 000037
【図３６】
2006044218.tif 000038
【図３７】
2006044218.tif 000039
【図３８】
2006044218.tif 000040
【図３９】
2006044218.tif 000041
【図４０】
2006044218.tif 000042
【図４１】
2006044218.tif 000043
【図４２】
2006044218.tif 000044
【図４３】
2006044218.tif 000045
【図４４】
2006044218.tif 000046
【図４５】
2006044218.tif 000047
【図４６】
2006044218.tif 000048
【図４７】
2006044218.tif 000049
【図４８】
2006044218.tif 000050
【図４９】
2006044218.tif 000051
【図５０】
2006044218.tif 000052
【図５１】
2006044218.tif 000053
【図５２】
2006044218.tif 000054
【図５３】
2006044218.tif 000055
【図５４】
2006044218.tif 000056
【図５５】
2006044218.tif 000057
【図５６】
2006044218.tif 000058
【図５７】
2006044218.tif 000059
【図５８】
2006044218.tif 000060
【図５９】
2006044218.tif 000061
【図６０】
2006044218.tif 000062
【図６１】
2006044218.tif 000063
【図６２】
2006044218.tif 000064
【図６３】
2006044218.tif 000065
【図６４】
2006044218.tif 000066